(57)【要約】      （修正有）【課題】複数の入力項目に情報を入力する際に、ユーザの負担を軽減することが可能な情報端末を提供する。【解決手段】スマートフォン１００（情報端末）は、ユーザから情報を受け付けるための複数の入力項目を表示する表示部２と、複数の入力項目のうちの情報を入力可能な選択状態にある入力項目にユーザが情報を入力した場合に、複数の入力項目の所定の順序に基づいて、入力された入力項目の次の入力項目をユーザが情報を入力可能な選択状態で表示部２に表示する制御を行うＣＰＵ５とを備える。【選択図】図２
2012181733.tif 000002
【特許請求の範囲】
【請求項１】
ユーザから情報を受け付けるための複数の入力項目を表示する表示部と、
前記複数の入力項目のうちの情報を入力可能な選択状態にある入力項目にユーザが情報を入力した場合に、前記複数の入力項目の所定の順序に基づいて、入力された入力項目の次の入力項目をユーザが情報を入力可能な選択状態で前記表示部に表示する制御を行う制御部とを備える、情報端末。
【請求項２】
前記制御部は、前記複数の入力項目のうちの選択状態にある入力項目にユーザが情報を入力した場合に、前記次の入力項目に対応する情報を選択または書き込み可能なグラフィカルユーザインタフェース要素を表示することによって、前記次の入力項目をユーザが情報を入力可能な選択状態で前記表示部に表示させるように構成されている、請求項１に記載の情報端末。
【請求項３】
前記制御部は、前記複数の入力項目のうちの選択状態にある入力項目にユーザが情報を入力した場合に、前記次の入力項目が前記表示部の表示領域外に位置している場合には、前記次の入力項目を前記表示部の表示領域内に移動することによって、前記次の入力項目をユーザが情報を入力可能な選択状態で前記表示部に表示させるように構成されている、請求項２に記載の情報端末。
【請求項４】
前記次の入力項目に対応する情報を選択可能なグラフィカルユーザインタフェース要素は、前記次の入力項目に対応する情報の選択リストを含み、
前記次の入力項目に対応する情報を書き込み可能なグラフィカルユーザインタフェース要素は、前記次の入力項目に対応する文字情報を書き込み可能なカーソルを含む、請求項２または３に記載の情報端末。
【請求項５】
前記制御部は、前記複数の入力項目のうちの選択状態にある入力項目にユーザが情報を入力した場合に、前記複数の入力項目を表示する第１表示領域とは異なる第２表示領域に、直前に選択状態であった入力項目に対応する情報を選択または書き込み可能なグラフィカルユーザインタフェース要素を表示するとともに、前記第１表示領域および前記第２表示領域とは異なる第３表示領域に、前記次の入力項目に対応する情報を選択または書き込み可能なグラフィカルユーザインタフェース要素を表示する制御を行うように構成されている、請求項２〜４のいずれか１項に記載の情報端末。
【請求項６】
前記第２表示領域に表示される前記直前に選択状態であった入力項目に対応する情報を選択可能なグラフィカルユーザインタフェース要素には、ユーザにより選択済みの情報以外の他の情報が選択可能に表示されるように構成されている、請求項５に記載の情報端末。
【請求項７】
前記制御部は、前記複数の入力項目のうちの選択状態にある入力項目にユーザが情報を入力した場合に、前記複数の入力項目を表示する表示領域の中央部近傍に前記次の入力項目を移動する制御を行うように構成されている、請求項１〜６のいずれか１項に記載の情報端末。
【請求項８】
ユーザから情報を受け付けるための複数の入力項目のうちの一部の入力項目を同一画面上に表示可能な大きさの表示部と、
前記複数の入力項目のうち、ユーザが情報を入力可能な選択状態にある入力項目に情報を入力した場合に、前記複数の入力項目の所定の順序に基づいて、入力された入力項目の次の入力項目をユーザが情報を入力可能な選択状態で前記表示部に表示する制御を行う制御部とを備える、携帯情報端末。
【発明の詳細な説明】
【技術分野】
【０００１】
この発明は、情報端末および携帯情報端末に関し、特に、複数の入力項目を表示可能な情報端末および携帯情報端末に関する。
【背景技術】
【０００２】
従来、複数の入力項目を表示可能な情報端末が知られている（たとえば、特許文献１参照）。
【０００３】
上記特許文献１には、ユーザから情報を受け付けるための複数のＧＵＩ（グラフィカルユーザインタフェース）要素（入力項目）を表示する表示部と、ＧＵＩ要素とマウスポインタとの距離を検出するプロセッサ（制御部）とを備えたコンピュータ（情報端末）が開示されている。このコンピュータは、ユーザがマウスポインタを移動することによってＧＵＩ要素とマウスポインタとの距離が所定の距離以下になった場合に、そのＧＵＩ要素を次の入力項目として強調表示するとともにマウスポインタをそのＧＵＩ要素上に移動する制御を行うように構成されている。これにより、情報を入力する際のユーザの負担を軽減している。
【先行技術文献】
【特許文献】
【０００４】
【特許文献１】特開２０００−３０５６８５号公報
【発明の概要】
【発明が解決しようとする課題】
【０００５】
しかしながら、上記特許文献１のコンピュータ（情報端末）では、ユーザは、情報を入力する際に、次に情報を入力するＧＵＩ要素（入力項目）にマウスポインタを近づける操作を自ら行うことによって次のＧＵＩ要素を選択する必要があるので、入力項目に情報を入力する際に、ユーザに負担が掛かるという不都合がある。このため、上記特許文献１のコンピュータ（情報端末）では、入力項目に情報を入力する際に、ユーザの負担を十分に軽減することができないという問題点がある。
【０００６】
この発明は、上記のような課題を解決するためになされたものであり、この発明の１つの目的は、複数の入力項目に情報を入力する際に、ユーザの負担を軽減することが可能な情報端末および携帯情報端末を提供することである。
【課題を解決するための手段および発明の効果】
【０００７】
この発明の第１の局面による情報端末は、ユーザから情報を受け付けるための複数の入力項目を表示する表示部と、複数の入力項目のうちの情報を入力可能な選択状態にある入力項目にユーザが情報を入力した場合に、複数の入力項目の所定の順序に基づいて、入力された入力項目の次の入力項目をユーザが情報を入力可能な選択状態で表示部に表示する制御を行う制御部とを備える。
【０００８】
この発明の第１の局面による情報端末では、上記のように、複数の入力項目のうちの情報を入力可能な選択状態にある入力項目にユーザが情報を入力した場合に、複数の入力項目の所定の順序に基づいて、入力された入力項目の次の入力項目をユーザが情報を入力可能な選択状態で表示部に表示する制御を行う制御部を設けることによって、ユーザが選択状態にある入力項目に情報を入力した場合に、制御部により、自動的に次の入力項目が情報を入力可能な選択状態で表示されるので、ユーザは、マウスポインタを移動させるなど、次の入力項目を選択する操作を自ら行う必要がない。これにより、複数の入力項目に情報を入力する際に、ユーザの負担を軽減することができる。
【０００９】
上記第１の局面による情報端末において、好ましくは、制御部は、複数の入力項目のうちの選択状態にある入力項目にユーザが情報を入力した場合に、次の入力項目に対応する情報を選択または書き込み可能なグラフィカルユーザインタフェース要素を表示することによって、次の入力項目をユーザが情報を入力可能な選択状態で表示部に表示させるように構成されている。このように構成すれば、ユーザは、情報を選択または書き込み可能なグラフィカルユーザインタフェース要素を介して、容易に、次の入力項目に情報を入力することができるので、ユーザの負担をより軽減することができる。
【００１０】
この場合、好ましくは、制御部は、複数の入力項目のうちの選択状態にある入力項目にユーザが情報を入力した場合に、次の入力項目が表示部の表示領域外に位置している場合には、次の入力項目を表示部の表示領域内に移動することによって、次の入力項目をユーザが情報を入力可能な選択状態で表示部に表示させるように構成されている。このように構成すれば、次の入力項目が表示領域外に位置している場合でも、制御部により、自動的に次の入力項目が表示領域内に移動されるので、ユーザ自らが、画面をスクロールさせるなど、次の入力項目を表示領域内に移動する操作を行う必要がない。その結果、次の入力項目が表示領域外に位置している場合でも、ユーザに負担が掛かるのを抑制することができる。この効果は、特に、画面が小さいために入力項目の全てを画面に表示することができない携帯型の情報端末に有効な効果である。
【００１１】
上記情報を選択または書き込み可能なグラフィカルユーザインタフェース要素を表示する構成において、好ましくは、次の入力項目に対応する情報を選択可能なグラフィカルユーザインタフェース要素は、次の入力項目に対応する情報の選択リストを含み、次の入力項目に対応する情報を書き込み可能なグラフィカルユーザインタフェース要素は、次の入力項目に対応する文字情報を書き込み可能なカーソルを含む。このように構成すれば、ユーザは、選択リストから所望の情報を選択するだけで容易に次の入力項目に情報を入力することができるとともに、カーソルが表示された位置に文字情報を書き込むだけで容易に次の入力項目に文字情報を入力することができる。
【００１２】
上記情報を選択または書き込み可能なグラフィカルユーザインタフェース要素を表示する構成において、好ましくは、制御部は、複数の入力項目のうちの選択状態にある入力項目にユーザが情報を入力した場合に、複数の入力項目を表示する第１表示領域とは異なる第２表示領域に、直前に選択状態であった入力項目に対応する情報を選択または書き込み可能なグラフィカルユーザインタフェース要素を表示するとともに、第１表示領域および第２表示領域とは異なる第３表示領域に、次の入力項目に対応する情報を選択または書き込み可能なグラフィカルユーザインタフェース要素を表示する制御を行うように構成されている。このように構成すれば、次の入力項目に対応するグラフィカルユーザインタフェース要素に加えて、直前に選択状態であった入力項目に対応するグラフィカルユーザインタフェース要素も表示されるので、ユーザは、直前に選択状態であった入力項目に対して、グラフィカルユーザインタフェース要素を介して容易に情報を入力し直すことができる。
【００１３】
上記第２表示領域に直前に選択状態であった入力項目のグラフィカルユーザインタフェース要素を表示する構成において、好ましくは、第２表示領域に表示される直前に選択状態であった入力項目に対応する情報を選択可能なグラフィカルユーザインタフェース要素には、ユーザにより選択済みの情報以外の他の情報が選択可能に表示されるように構成されている。このように構成すれば、直前に選択状態であった入力項目に対して選択済みの情報が表示されない分、限られたスペースの第２表示領域に選択済みの情報以外の他の情報（他の選択肢）をより多く表示することができる。
【００１４】
上記第１の局面による情報端末において、好ましくは、制御部は、複数の入力項目のうちの選択状態にある入力項目にユーザが情報を入力した場合に、複数の入力項目を表示する表示領域の中央部近傍に次の入力項目を移動する制御を行うように構成されている。このように構成すれば、表示領域内の最も目立つ中央部近傍に次の入力項目が表示されるので、次の入力項目をユーザに容易に認識させることができる。
【００１５】
この発明の第２の局面による携帯情報端末は、ユーザから情報を受け付けるための複数の入力項目のうちの一部の入力項目を同一画面上に表示可能な大きさの表示部と、複数の入力項目のうち、ユーザが情報を入力可能な選択状態にある入力項目に情報を入力した場合に、複数の入力項目の所定の順序に基づいて、入力された入力項目の次の入力項目をユーザが情報を入力可能な選択状態で表示部に表示する制御を行う制御部とを備える。
【００１６】
この発明の第２の局面による携帯情報端末では、上記のように、複数の入力項目のうちの情報を入力可能な選択状態にある入力項目にユーザが情報を入力した場合に、複数の入力項目の所定の順序に基づいて、入力された入力項目の次の入力項目をユーザが情報を入力可能な選択状態で表示部に表示する制御を行う制御部を設けることによって、ユーザが選択状態にある入力項目に情報を入力した場合に、制御部により、自動的に次の入力項目が情報を入力可能な選択状態で表示されるので、ユーザは、マウスポインタを移動させるなど、次の入力項目を選択する操作を自ら行う必要がない。これにより、複数の入力項目に情報を入力する際に、ユーザの負担を軽減することができる。また、同一画面上に複数の入力項目のうちの一部の入力項目しか表示することができない小型の表示部を備えた携帯情報端末においては、表示画面上でのユーザの操作を減らすことによってユーザの負担を軽減可能な本発明はより有効である。
【図面の簡単な説明】
【００１７】
【図１】本発明の第１および第２実施形態によるスマートフォンを示した正面図である。
【図２】本発明の第１および第２実施形態によるスマートフォンの構成を示したブロック図である。
【図３】本発明の第１および第２実施形態によるスマートフォンがウェブページを表示した状態を示した図である。
【図４】本発明の第１および第２実施形態によるスマートフォンにより表示可能なウェブページ全体を示した図である。
【図５】本発明の第１実施形態によるスマートフォンの情報入力時の処理を説明するためのフローチャートである。
【図６】本発明の第１実施形態によるスマートフォンにおいてチェックインの日にちのコンボボックスが選択状態である画面を示した図である。
【図７】本発明の第１実施形態によるスマートフォンにおいてクーポン番号のテキストボックスが選択状態である画面を示した図である。
【図８】本発明の第１実施形態によるスマートフォンにおいてチェックアウトの月のコンボボックスが選択状態である画面を示した図である。
【図９】本発明の第１実施形態によるスマートフォンにおいて予算のコンボボックスが選択状態である画面を示した図である。
【図１０】本発明の第１実施形態によるスマートフォンにおいて一部屋ご利用人数のコンボボックスが選択状態である画面を示した図である。
【図１１】本発明の第２実施形態によるスマートフォンにおいて予算のコンボボックスが選択状態である画面を示した図である。
【図１２】本発明の第２実施形態によるスマートフォンにおいて一部屋ご利用人数のコンボボックスが選択状態である画面を示した図である。
【図１３】本発明の第２実施形態によるスマートフォンにおいてクーポン番号のテキストボックスが選択状態である画面を示した図である。
【図１４】本発明の第２実施形態によるスマートフォンの情報入力時の処理を説明するためのフローチャートである。
【図１５】本発明の第１実施形態の変形例のスマートフォンによる情報入力時の処理を説明するためのフローチャートである。
【発明を実施するための形態】
【００１８】
以下、本発明を具体化した実施形態を図面に基づいて説明する。
【００１９】
（第１実施形態）
まず、図１〜図４を参照して、本発明の第１実施形態によるスマートフォン１００の構成について説明する。なお、スマートフォン１００は、本発明の「情報端末」および「携帯情報端末」の一例である。
【００２０】
本発明の第１実施形態によるスマートフォン１００は、図１に示すように、正面から見て略矩形形状の本体部１と、本体部１の正面側に配置されたタッチパネル式の表示部２とを備えている。また、スマートフォン１００の本体部１の内部には、図２に示すように、表示部２に文字や画像などの情報を表示する情報表示部３と、ユーザにより指示されたタッチパネル上の位置情報を受け付ける位置情報受付部４と、各部を制御するＣＰＵ５とを備えている。なお、ＣＰＵ５は、本発明の「制御部」の一例である。
【００２１】
表示部２は、図１に示すように、略矩形形状を有している。また、表示部２は、ＨＴＭＬ（ＨｙｐｅｒＴｅｘｔ  Ｍａｒｋｕｐ  Ｌａｎｇｕａｇｅ）により記載されたウェブページを表示可能に構成されている。具体的には、表示部２は、図３に示すように、ＨＴＭＬにより記載されたＰＣ（パーソナルコンピュータ）画面１１０（図４参照）用のウェブページを表示可能に構成されている。なお、表示部２は、ＰＣ画面１１０に比べて表示領域が小さいため、ＰＣ画面１１０に表示可能な範囲の一部だけが表示されるように構成されている。たとえば、図４に示す宿泊施設の検索ページのように複数の入力項目（コンボボックス１１１〜１１８およびテキストボックス１１９）を含むウェブページの場合には、図３に示すように、表示部２には、ＰＣ画面１１０に表示可能な複数の入力項目のうちの一部の入力項目だけが表示される。
【００２２】
情報表示部３および位置情報受付部４は、図２に示すように、Ｉ／Ｆ（インタフェース）６を介してＣＰＵ５に接続されている。また、情報表示部３および位置情報受付部４は、互いに重ね合わされた状態で表示部２に設けられている。
【００２３】
ＣＰＵ５は、ＲＯＭ７に格納されたプログラムを実行することによって各種の処理を実行するように構成されている。また、ＣＰＵ５は、各種の処理を実行する際に、ＲＡＭ８に一時的に情報を記憶させるように構成されている。
【００２４】
次に、図３〜図１０を参照して、本発明の第１実施形態によるスマートフォン１００のＣＰＵ５により実行される情報入力時の処理について説明する。
【００２５】
まず、図５のステップＳ１において、ＣＰＵ５は、図３に示すように、表示部２に初期画面を表示する制御を行う。そして、ＣＰＵ５は、ステップＳ２において、ユーザによる操作があったか否かを判断し、操作があるまでこの判断を繰り返す。ユーザによる操作があると、ステップＳ３において、ＣＰＵ５は、操作内容が決定ボタン１２０（図４参照）の押下であるか否かを判断し、決定ボタン１２０が押下された場合には、そのまま情報入力時の処理を終了する。第１実施形態の宿泊施設の検索画面において、決定ボタン１２０が押下されると、表示部２の表示が宿泊施設の検索画面から別のウェブページに移行される。
【００２６】
ユーザによる操作が決定ボタン１２０の押下ではない場合、ＣＰＵ５は、ステップＳ４において、ユーザによる操作が選択状態の入力項目に情報を入力する操作であるか否かを判断する。ここで、選択状態の入力項目とは、情報を入力することが可能な状態の入力項目（コンボボックスおよびテキストボックス）であり、第１実施形態では、複数の入力項目のうちのいずれか１つの入力項目だけが選択状態になる。すなわち、同時に、複数の入力項目が選択状態にはならない。また、第１実施形態では、選択状態の入力項目は、図６〜図１０に示すように、他の入力項目と識別可能なように色分けされて強調表示される。また、初期画面では、図３に示すように、いずれの入力項目も選択状態にはなっていない。そのため、ユーザによる操作が初期画面において行われた場合には、ＣＰＵ５は、ステップＳ４において、選択状態の入力項目には情報が入力されていないと判断して、ステップＳ５の動作に進む。
【００２７】
そして、ＣＰＵ５は、ステップＳ５において、ユーザによる操作がいずれかの入力項目を押下（選択）する操作であるか否かを判断する。ユーザが入力項目を押下（選択）した場合には、ＣＰＵ５は、ステップＳ６において、ユーザにより押下（選択）された入力項目を選択状態に変更する。具体的には、図３に示す初期画面において、ユーザがチェックインの日にちのコンボボックス２１（入力項目）を押下（選択）した場合には、ＣＰＵ５は、図６に示すように、そのコンボボックス２１を選択状態にして強調表示する制御を行う。また、ＣＰＵ５は、ステップＳ７において、選択状態の入力項目に対応する選択リストまたは選択状態の入力項目に対応する文字情報を書き込み可能なカーソルを表示する制御を行う。図６に示す例では、選択状態であるチェックインの日にちのコンボボックス２１に対応する選択リスト２１ａが、コンボボックス２１の一部に重なるように表示される。また、図７に示すように、テキストボックス２２が選択状態になると、テキストボックス２２内に文字情報を書き込み可能なカーソル２２ａが表示される。
【００２８】
また、ユーザが入力項目を押下していなければ、ＣＰＵ５は、ステップ８において、選択状態にされた入力項目に対してその選択状態を解除する。すなわち、ユーザによる操作が、決定ボタン１２０（図４参照）の押下、選択状態の入力項目への情報入力、および、入力項目の押下（選択）のいずれでもない場合に、ＣＰＵ５は、ステップＳ８に進んで入力項目の選択状態を解除する。これにより、いずれの入力項目も選択されていない状態になる。また、ステップＳ８に進む場合のユーザの操作例としては、宿泊施設の検索ページ内の入力項目および決定ボタン１２０（図４参照）以外の余白部分をタッチする操作である。
【００２９】
また、ＣＰＵ５は、ステップＳ４の判断において、選択状態の入力項目に情報が入力されたと判断した場合には、ステップＳ９において、その入力内容を受け付ける。たとえば、ユーザが図６の選択リスト２１ａからチェックインの日にちとして「２９日」を選択（入力）した場合には、ＣＰＵ５は、図８に示すように、チェックインの日にちのコンボボックス２１に「２９日」を表示させる。また、ＣＰＵ５は、ステップＳ１０において、次の入力項目を表示領域の中央部に移動する。すなわち、次の入力項目が表示領域の中央部になるように宿泊施設の検索ページの表示範囲を移動する。具体的には、図６に示すチェックインの日にちのコンボボックス２１（入力項目）に情報が入力された場合には、図８に示すように、次の入力項目としてのチェックアウトの月のコンボボックス２３を表示領域の中央部に移動する。なお、第１実施形態では、ＣＰＵ５は、そのウェブページのＨＴＭＬの記載順序に基づいて、次の入力項目を判断している。
【００３０】
また、ステップＳ１１において、ＣＰＵ５は、表示領域の中央部に位置する次の入力項目（図８の例ではコンボボックス２３）を選択状態にして強調表示する制御を行う。さらに、ＣＰＵ５は、ステップＳ７において、選択状態の入力項目に対応する選択リストまたは選択状態の入力項目に対応する文字情報を書き込み可能なカーソルを表示する制御を行う。図８に示す例では、選択状態であるチェックアウトの月のコンボボックス２３に対応する選択リスト２３ａが、コンボボックス２３の一部に重なるように表示される。
【００３１】
また、第１実施形態では、ステップＳ９〜Ｓ１１の動作において、情報が受け付けられた入力項目の次の入力項目が表示領域内に位置していない（表示領域外に位置している）場合でもあっても、ＣＰＵ５は、次の入力項目が表示領域内に位置している場合と同様に、次の入力項目が表示領域の中央部に位置するように表示範囲をずらすとともに、次の入力項目を選択状態に変更する。具体的には、図９に示すように、表示領域の下部に位置する予算のコンボボックス２４に対して情報が入力された（選択リスト２４ａから情報が選択された）場合に、表示領域外に位置する次の入力項目（一部屋ご利用人数のコンボボックス２５）を、図１０に示すように、表示領域の中央部に移動する。そして、ＣＰＵ５は、図８の例と同様に、次の入力項目（一部屋ご利用人数のコンボボックス２５）を強調表示するとともに、次の入力項目に対応する選択リスト２５ａを表示する制御を行う。
【００３２】
第１実施形態では、上記のように、複数の入力項目のうちの情報を入力可能な選択状態にある入力項目にユーザが情報を入力した場合に、次の入力項目をユーザが情報を入力可能な選択状態で表示部２に表示する制御を行うＣＰＵ５を設けることによって、ユーザが選択状態にある入力項目に情報を入力した場合に、ＣＰＵ５により、自動的に次の入力項目が情報を入力可能な選択状態で表示されるので、ユーザは、マウスポインタを移動させるなど、次の入力項目を選択する操作を自ら行う必要がない。これにより、複数の入力項目に情報を入力する際に、ユーザの負担を軽減することができる。また、同一画面上に複数の入力項目のうちの一部の入力項目しか表示することができない小型の表示部２を備えた第１実施形態によるスマートフォン１００においては、表示画面上でのユーザの操作を減らすことによってユーザの負担を軽減可能な本発明はより有効である。
【００３３】
また、第１実施形態では、選択状態にある入力項目にユーザが情報を入力した場合に、次の入力項目に対応する情報を選択可能な選択リスト、または、次の入力項目に対応する文字情報を書き込み可能なカーソルを表示することによって、次の入力項目をユーザが情報を入力可能な選択状態で表示部２に表示させるようにＣＰＵ５を構成する。このように構成すれば、ユーザは、選択リストから所望の情報を選択するだけで容易に次の入力項目に情報を入力することができるとともに、カーソルが表示された位置に文字情報を書き込むだけで容易に次の入力項目に文字情報を入力することができる。
【００３４】
また、第１実施形態では、選択状態にある入力項目にユーザが情報を入力した場合に、次の入力項目が表示部２の表示領域外に位置している場合には、次の入力項目を表示部２の表示領域内に移動することによって、次の入力項目をユーザが情報を入力可能な選択状態で表示部２に表示させるようにＣＰＵ５を構成する。このように構成すれば、次の入力項目が表示領域外に位置している場合でも、ＣＰＵ５により、自動的に次の入力項目が表示領域内に移動されるので、ユーザ自らが、画面をスクロールさせるなど、次の入力項目を表示領域内に移動する操作を行う必要がない。その結果、次の入力項目が表示領域外に位置している場合でも、ユーザに負担が掛かるのを抑制することができる。この効果は、特に、画面が小さいために入力項目の全てを画面に表示することができない小型の表示部２を備えた第１実施形態によるスマートフォン１００に有効な効果である。
【００３５】
また、第１実施形態では、選択状態にある入力項目にユーザが情報を入力した場合に、複数の入力項目を表示する表示領域の中央部に次の入力項目を移動する制御を行うようにＣＰＵ５を構成する。このように構成すれば、表示領域内の最も目立つ中央部に次の入力項目が表示されるので、次の入力項目をユーザに容易に認識させることができる。
【００３６】
（第２実施形態）
次に、第２実施形態について説明する。この第２実施形態では、上記第１実施形態とは異なり、選択状態の入力項目に対応する選択リストまたは文字情報を書き込み可能なカーソルを表示するとともに、直前に選択状態であった入力項目に対応する選択リストまたは文字情報を書き込み可能なカーソルを表示する構成について説明する。
【００３７】
第２実施形態では、ＣＰＵ５は、いずれかの入力項目が選択状態である場合に、図１１〜図１３に示すように、表示部２全体の表示領域を第１表示領域２０１、第２表示領域２０２および第３表示領域２０３の３つの表示領域に分割する制御を行うように構成されている。第１表示領域２０１は、表示部２全体の表示領域の下部を除いた部分（中央部および上部を含む部分）に配置される。また、第２表示領域２０２は、表示部２全体の表示領域の下部の左側部分に配置され、第３表示領域２０３は、表示部２全体の表示領域の下部の右側部分に配置される。
【００３８】
次に、図１１〜図１４を参照して、本発明の第２実施形態によるスマートフォン１００のＣＰＵ５により実行される情報入力時の処理について説明する。
【００３９】
図１４のステップＳ２１〜Ｓ２３までの動作は、それぞれ、上記第１実施形態のステップＳ１〜Ｓ３（図５参照）までの動作と同様であるため、その説明を省略する。ステップＳ２３の後、ステップＳ２４において、ＣＰＵ５は、ユーザによる操作がいずれかの入力項目に情報を入力する操作であるか否かを判断する。ユーザの操作がいずれかの入力項目に情報を入力する操作ではない場合には、ＣＰＵ５は、上記第１実施形態のステップＳ５およびＳ６の動作と同様に、それぞれ、ステップＳ２５およびＳ２６の動作を実行する。
【００４０】
ここで、第２実施形態では、ＣＰＵ５は、ステップＳ２６で入力項目を選択状態に変更した後、ステップＳ２７において、選択状態の入力項目に対応する選択リストまたは選択状態の入力項目に対応する文字情報を書き込み可能なカーソルを第３表示領域２０３に表示する制御を行う。そして、ＣＰＵ５は、ステップＳ２８において、直前に選択状態であった入力項目に対応する選択リストまたは選択状態の入力項目に対応する文字情報を書き込み可能なカーソルを第２表示領域２０２に表示する制御を行う。この際、第１表示領域２０１には、複数の入力項目が表示される。たとえば、図１１に示すように、ユーザが予算のコンボボックス２４（入力項目）を押下（選択）した場合には、第３表示領域２０３に予算のコンボボックス２４に対応する選択リスト２４ａが表示される。この際、直前に選択状態であった入力項目が存在しない場合には、図１１に示すように、第２表示領域２０２は空白となる。また、直前に選択状態であった入力項目が存在する場合には、図１２に示す例のように、第３表示領域２０３には、選択状態の入力項目（一部屋ご利用人数のコンボボックス２５）に対応する選択リスト２５ａが表示され、第２表示領域２０２には、直前に選択状態であった入力項目（予算のコンボボックス２４）の選択リスト２４ａが表示される。また、ＣＰＵ５は、第２表示領域２０２および第３表示領域２０３が表示されていない状態（図３参照）であれば、第２表示領域２０２および第３表示領域２０３を作成して表示領域を３つに分割した上で、ステップＳ２７およびＳ２８の動作を実行する。
【００４１】
ユーザによる操作が、決定ボタン１２０（図４参照）の押下、いずれかの入力項目への情報入力、および、入力項目の押下（選択）のいずれでもない場合に、ＣＰＵ５は、ステップＳ２９に進んで入力項目の選択状態を解除する。これにより、いずれの入力項目も選択されていない状態になる。また、ＣＰＵ５は、ステップＳ３０において、第２表示領域２０２および第３表示領域２０３を非表示にする。これにより、図３に示すように、表示部２の表示領域の分割が解除され、表示部２の表示領域全体に複数の入力項目が表示される。
【００４２】
また、ＣＰＵ５は、ステップＳ２４の判断において、いずれかの入力項目に情報が入力されたと判断した場合には、ステップＳ３１において、ユーザの操作が選択状態の入力項目に情報を入力する操作であるか否かを判断する。選択状態の入力項目への情報の入力の場合には、ＣＰＵ５は、ステップＳ３２において、その入力内容を受け付ける。そして、ＣＰＵ５は、ステップＳ３３において、次の入力項目を第１表示領域２０１の中央部に移動する。具体的には、図１１に示す予算のコンボボックス２４（入力項目）に情報が入力された場合には、図１２に示すように、次の入力項目としての一部屋ご利用人数のコンボボックス２５を第１表示領域２０１の中央部に移動する。
【００４３】
また、ステップＳ３４において、ＣＰＵ５は、第１表示領域２０１の中央部に位置する次の入力項目（図１２の例ではコンボボックス２５）を選択状態にして強調表示する制御を行う。さらに、ＣＰＵ５は、ステップＳ２７において、選択状態の入力項目に対応する選択リストまたは選択状態の入力項目に対応する文字情報を書き込み可能なカーソルを第３表示領域２０３に表示するとともに、直前に選択状態であった入力項目に対応する選択リストまたは文字情報を書き込み可能なカーソルを第２表示領域２０２に表示する制御を行う。図１２に示す例では、選択状態である一部屋ご利用人数のコンボボックス２５に対応する選択リスト２５ａが第３表示領域２０３に表示されるとともに、直前に選択状態であった予算のコンボボックス２４に対応する選択リスト２４ａが第２表示領域２０２に表示される。この際、第２表示領域２０２に表示される選択リストには、ユーザにより選択済みの情報以外の情報だけが含まれる。すなわち、図１２の例では、直前に選択状態であった入力項目としての予算のコンボボックス２４に「５０００円〜１００００円」が選択されている場合、第２表示領域２０２には、「５０００円〜１００００円」の選択肢は表示されない。なお、ユーザは、一旦入力した情報を他の情報（選択肢）に変更する際に、第２表示領域２０２の選択リストを用いるので、第２表示領域２０２には、選択済みの情報を表示する必要がない。また、選択状態の入力項目が、図１３に示すように、文字情報を入力するテキストボックス２２の場合には、第３表示領域２０３には、文字情報を書き込み可能なカーソル２２ａが表示される。
【００４４】
一方、ユーザが直前に選択状態であった入力項目に対して情報を入力した場合には、ＣＰＵ５は、ステップＳ３１の判断の後、ステップＳ３５において、その入力内容（変更内容）を受け付ける。
【００４５】
なお、第２実施形態のその他の構成は、上記第１実施形態と同様である。
【００４６】
第２実施形態では、上記第１実施形態と同様に、選択状態にある入力項目にユーザが情報を入力した場合に、次の入力項目をユーザが情報を入力可能な選択状態で表示部２に表示することによって、次の入力項目を選択する操作をユーザ自らが行う必要がないので、ユーザの負担を軽減することができるとともに、上記のように、ＣＰＵ５を、選択状態にある入力項目にユーザが情報を入力した場合に、第２表示領域２０２に、直前に選択状態であった入力項目に対応する情報を選択可能な選択リストまたは文字情報を書き込み可能なカーソルを表示するとともに、第３表示領域２０３に、次の入力項目に対応する情報を選択可能な選択リストまたは文字情報を書き込み可能なカーソルを表示する制御を行うように構成する。このように構成すれば、直前に選択状態であった入力項目に対応する情報を選択可能な選択リストまたは文字情報を書き込み可能なカーソルが表示されるので、ユーザは、直前に選択状態であった入力項目に対して、選択リストまたはカーソルを介して容易に情報を入力し直すことができる。
【００４７】
また、第２実施形態では、第２表示領域２０２に表示される直前に選択状態であった入力項目に対応する情報を選択可能な選択リストには、ユーザにより選択済みの情報以外の他の情報が選択可能に表示されるように構成する。このように構成すれば、直前に選択状態であった入力項目に対して選択済みの情報が表示されない分、限られたスペースの第２表示領域２０２に選択済みの情報以外の他の情報（他の選択肢）をより多く表示することができる。
【００４８】
なお、第２実施形態のその他の効果は、上記第１実施形態と同様である。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記第１および第２実施形態では、情報端末および携帯情報端末の一例として、スマートフォンを示したが、本発明はこれに限られない。本発明では、たとえば、ＰＤＡ（Ｐｅｒｓｏｎａｌ  Ｄｉｇｉｔａｌ  Ａｓｓｉｓｔａｎｔｓ）やノート型ＰＣ（パーソナルコンピュータ）など、スマートフォン以外の携帯情報端末であってもよい。また、本発明を、携帯情報端末に限らず、据え置き型のＰＣ（パーソナルコンピュータ）に適用してもよい。
【００５１】
また、上記第１および第２実施形態では、制御部としてのＣＰＵが、ＨＴＭＬの記載順序に基づいて次の入力項目を判断する構成の例を示したが、本発明はこれに限られない。本発明では、制御部が、ユーザにより予め設定された順序に基づいて次の入力項目を判断してもよいし、ＨＴＭＬの記載順序およびユーザにより設定された順序以外の順序に基づいて、次の入力項目を判断してもよい。
【００５２】
また、上記第１および第２実施形態では、表示部の一例として、タッチパネル式の表示部を示したが、本発明はこれに限られない。本発明では、たとえば、ユーザがマウスやキーボードなどを用いて情報を入力する、タッチパネル式以外の表示部であってもよい。
【００５３】
また、上記第１実施形態では、制御部としてのＣＰＵにより、次の入力項目が表示領域外であるか否かに拘わらず、次の入力項目を表示領域の中央部に移動する構成の例を示したが、本発明はこれに限られない。本発明では、次の入力項目を表示領域の中央部に移動する制御は行わず、次の入力項目が表示領域外に位置する場合にだけ、次の入力項目を表示領域内に移動する構成であってもよい。
【００５４】
次に、上記第１実施形態の変形例による情報入力時の処理について、図１５を参照して説明する。なお、この第１実施形態の変形例による情報入力時の処理では、ステップＳ１〜Ｓ９およびＳ１１における処理は、上記第１実施形態と同様であるため、その説明を省略する。ＣＰＵ５は、ステップＳ９で入力内容を受け付けた後、ステップＳ４０において、次の入力項目が表示領域内にあるか否かを判断する。次の入力項目が表示領域内にある場合には、ステップＳ１１に進んで次の入力項目を選択状態に変更する。すなわち、次の入力項目が表示領域内にある場合には、次の入力項目の位置は移動されずに選択状態に変更される。一方、次の入力項目が表示領域外に位置する場合には、ＣＰＵ５は、ステップＳ４１において、次の入力項目を表示領域内に移動した後、ステップＳ１１において、次の入力項目を選択状態に変更する。
【００５５】
また、上記第１および第２実施形態では、説明の便宜上、制御部としてのＣＰＵの処理動作を処理フローに沿って順番に処理を行うフロー駆動型のフローチャートを用いて説明したが、本発明はこれに限らない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５６】
２  表示部
５  ＣＰＵ（制御部）
２１、２３、２４、２５  コンボボックス（入力項目）
２１ａ、２３ａ、２４ａ、２５ａ  選択リスト
２２ａ  カーソル
１００  スマートフォン（情報端末、携帯情報端末）
２０１  第１表示領域
２０２  第２表示領域
２０３  第３表示領域
【図１】
2012181733.tif 000003
【図２】
2012181733.tif 000004
【図３】
2012181733.tif 000005
【図４】
2012181733.tif 000006
【図５】
2012181733.tif 000007
【図６】
2012181733.tif 000008
【図７】
2012181733.tif 000009
【図８】
2012181733.tif 000010
【図９】
2012181733.tif 000011
【図１０】
2012181733.tif 000012
【図１１】
2012181733.tif 000013
【図１２】
2012181733.tif 000014
【図１３】
2012181733.tif 000015
【図１４】
2012181733.tif 000016
【図１５】
2012181733.tif 000017